【手続補正書】
【提出日】平成16年11月5日(2004.11.5)
【手続補正１】
【補正対象書類名】明細書
【補正対象項目名】全文
【補正方法】変更
【補正の内容】
【書類名】      明細書
【発明の名称】  図書情報提供装置、図書情報提供方法、およびその方法をコンピュータに実行させるプログラムを記録したコンピュータ読み取り可能な記録媒体
【特許請求の範囲】
【請求項１】  クライアント端末からの要求に応答して、図書館に所蔵された図書に係る情報を提供する図書情報提供装置であって、
前記図書館に所蔵された各図書の外観を利用者が認識し得るよう近接撮像した映像データを記憶する記憶手段と、
前記クライアント端末上で前記利用者により所望の所蔵場所が指定された場合に、前記記憶手段に記憶した該所蔵場所に所蔵された各図書の映像データを前記クライアント端末に提供する映像提供手段と、
を備えたことを特徴とする図書情報提供装置。
【請求項２】  前記図書館に所蔵された各図書の書誌情報を記憶した図書データベースと、前記映像提供手段により映像データが提供された各図書のうち前記クライアント端末上で指定された図書の書誌情報を前記図書データベースから検索して提供する書誌情報提供手段と、をさらに備えたことを特徴とする請求項１に記載の図書情報提供装置。
【請求項３】  前記記憶手段は、前記図書が配置された書棚を所定の順序で近接撮影した複数のシーンから形成される映像データを記憶することを特徴とする請求項１または２に記載の図書情報提供装置。
【請求項４】  前記記憶手段は、前記図書が配置された書棚を所定の順序で近接撮影した複数のシーンから形成される映像データを記憶するとともに、前記図書が配置された書棚を所定の範囲ごとに撮像した複数の静止画像データを前記映像データの各シーンに対応付けて記憶することを特徴とする請求項１または２に記載の図書情報提供装置。
【請求項５】  前記映像提供手段は、前記クライアント端末上で前記利用者により前記映像データの再生が一時停止された場合に、当該一時停止時のシーンに対応する前記静止画像データを、前記記憶手段により記憶された複数の静止画像データから検索して前記クライアント端末に提供することを特徴とする請求項４に記載の図書情報提供装置。
【請求項６】  前記書誌情報提供手段は、前記映像提供手段により静止画像データが提供された各図書のうち前記クライアント端末上で指定された図書の書誌情報を前記図書データベースから検索して前記クライアント端末に提供することを特徴とする請求項５に記載の図書情報提供装置。
【請求項７】  前記記憶手段は、前記映像データの各シーンに当該シーンを形成する書棚を一意に特定する情報を対応付けて記憶し、前記映像提供手段は、前記クライアント端末上で前記利用者により所望の書棚が指定された場合に、前記記憶手段により記憶した該書棚に対応するシーンから始まる前記映像データを提供することを特徴とする請求項１〜６のいずれか一つに記載の図書情報提供装置。
【請求項８】  前記記憶手段は、前記映像データの各シーンに当該シーンを形成する図書の図書分類を一意に特定する情報を対応付けて記憶し、前記映像提供手段は、前記クライアント端末上で前記利用者により所望の図書分類が指定された場合に、前記記憶手段により記憶した該図書分類に対応するシーンから始まる前記映像データを提供することを特徴とする請求項１〜６のいずれか一つに記載の図書情報提供装置。
【請求項９】  前記クライアント端末上で前記利用者により提示された所定の図書検索条件を具備する図書を前記図書データベースから検索する図書検索手段をさらに備え、前記映像提供手段は、前記クライアント端末からの要求に応じて、前記図書検索手段により検索された図書が含まれた映像データを検索して前記クライアント端末に提供することを特徴とする請求項１〜８のいずれか一つに記載の図書情報提供装置。
【請求項１０】  前記記憶手段により記憶された映像データおよび静止画像データを定期または不定期に更新する更新手段をさらに備えたことを特徴とする請求項１〜９のいずれか一つに記載の図書情報提供装置。
【請求項１１】  クライアント端末からの要求に応答して、図書館に所蔵された図書に係る情報を提供する図書情報提供方法であって、
前記図書館に所蔵された各図書の外観を利用者が認識し得るよう近接撮像した映像データを記憶する記憶工程と、
前記クライアント端末上で前記利用者により所望の所蔵場所が指定された場合に、前記記憶手段に記憶した該所蔵場所に所蔵された各図書の映像データを前記クライアント端末に提供する映像提供工程と、
を含んだことを特徴とする図書情報提供方法。
【請求項１２】  前記映像提供手段により映像データが提供された各図書のうち前記クライアント端末上で指定された図書の書誌情報を、前記図書館に所蔵された各図書の書誌情報を記憶した図書データベースから検索して提供する書誌情報提供工程をさらに含んだことを特徴とする請求項１１に記載の図書情報提供方法。
【請求項１３】  前記記憶工程は、前記図書が配置された書棚を所定の順序で近接撮影した複数のシーンから形成される映像データを記憶することを特徴とする請求項１１または１２に記載の図書情報提供方法。
【請求項１４】  前記記憶工程は、前記図書が配置された書棚を所定の順序で近接撮影した複数のシーンから形成される映像データを記憶するとともに、前記図書が配置された書棚を所定の範囲ごとに撮像した複数の静止画像データを前記映像データの各シーンに対応付けて記憶することを特徴とする請求項１１または１２に記載の図書情報提供方法。
【請求項１５】  前記映像提供工程は、前記クライアント端末上で前記利用者により前記映像データの再生が一時停止された場合に、当該一時停止時のシーンに対応する前記静止画像データを、前記記憶工程により記憶された複数の静止画像データから検索して前記クライアント端末に提供することを特徴とする請求項１４に記載の図書情報提供方法。
【請求項１６】  前記書誌情報提供工程は、前記映像提供工程により静止画像データが提供された各図書のうち前記クライアント端末上で指定された図書の書誌情報を前記図書データベースから検索して前記クライアント端末に提供することを特徴とする請求項１５に記載の図書情報提供方法。
【請求項１７】  前記記憶工程は、前記映像データの各シーンに当該シーンを形成する書棚を一意に特定する情報を対応付けて記憶し、前記映像提供工程は、前記クライアント端末上で前記利用者により所望の書棚が指定された場合に、前記記憶工程により記憶した該書棚に対応するシーンから始まる前記映像データを提供することを特徴とする請求項１１〜１６のいずれか一つに記載の図書情報提供方法。
【請求項１８】  前記記憶工程は、前記映像データの各シーンに当該シーンを形成する図書の図書分類を一意に特定する情報を対応付けて記憶し、前記映像提供工程は、前記クライアント端末上で前記利用者により所望の図書分類が指定された場合に、前記記憶工程により記憶した該図書分類に対応するシーンから始まる前記映像データを提供することを特徴とする請求項１１〜１６のいずれか一つに記載の図書情報提供方法。
【請求項１９】  前記クライアント端末上で前記利用者により提示された所定の図書検索条件を具備する図書を前記図書データベースから検索する図書検索工程をさらに含み、前記映像提供工程は、前記クライアント端末からの要求に応じて、前記図書検索工程により検索された図書が含まれた映像データを検索して前記クライアント端末に提供することを特徴とする請求項１１〜１８のいずれか一つに記載の図書情報提供方法。
【請求項２０】  前記記憶工程により記憶された映像データおよび静止画像データを定期または不定期に更新する更新工程をさらに備えたことを特徴とする請求項１１〜１９のいずれか一つに記載の図書情報提供方法。
【請求項２１】  前記請求項１１〜２０のいずれか一つに記載された方法をコンピュータに実行させるプログラムを記録したことを特徴とするコンピュータ読み取り可能な記録媒体。
【発明の詳細な説明】
【０００１】
【発明の属する技術分野】
この発明は、クライアント端末からの要求に応答して、図書館に所蔵された図書に係る情報を提供する図書情報提供サーバ、図書情報提供方法、およびその方法をコンピュータに実行させるプログラムを記録したコンピュータ読み取り可能な記録媒体に関し、特に、図書館に実際に足を運んだ利用者が得ることができる利益を遠隔地に居る利用者に対しても提供することができる図書情報提供装置、図書情報提供方法、および記録媒体に関する。
【０００２】
【従来の技術】
従来より、インターネットやイントラネットなどのネットワークを利用した図書検索システムが普及している。この図書検索システムは、図書館に所蔵されている各図書の書誌事項を電子化した上でデータベースに蓄積し、ネットワークを介して図書の検索および書誌事項の閲覧を提供するシステムである。これにより、図書館に足を運ばずして家庭や会社などの遠隔地からでも、図書検索により目的の図書を探し出すことが可能になった。
【０００３】
【発明が解決しようとする課題】
しかしながら、上記の従来技術は、図書館に実際に足を運んで書棚に配置された図書を眺めることによって生ずる利点を、ネットワークを介して遠隔地からデータベースにアクセスする利用者に対して与えることができないという問題点があった。
【０００４】
たとえば、図書館に実際に足を運んだ場合、目的とする図書の周辺に配置されている図書に興味を持ち、その図書を手に取った結果、こちらの図書の方が重要である、すなわち真に探し求めていた図書であると認識することも少なくない。
【０００５】
また、目的の図書を特定することなく図書館に足を運んだ場合でも、書棚に配置された図書の表紙を眺めていて特定の図書に興味を持ち、その図書を手に取った結果、すばらしい図書に出会うことも少なくない。特に、雑誌などの表紙は利用者の興味に影響するところが大きいので、このようなことはよくあることである。
【０００６】
ところが、上記の従来技術では、書誌検索や全文検索によって目的の図書を探し出すことができるに過ぎず、利用者は、「目的の図書の周辺に配置された図書の方が重要であった。」や「たまたま手に取った図書がすばらしいものであった。」など、図書館に実際に足を運んだ場合の利点を享受することはできない。
【０００７】
そこで、この発明は、上述した従来技術による問題点を解消するためになされたものであり、図書館に実際に足を運んだ利用者が得ることができる利益を遠隔地に居る利用者に対しても提供することができる図書情報提供装置、図書情報提供方法、およびその方法をコンピュータに実行させるプログラムを記録したコンピュータ読み取り可能な記録媒体を提供することを目的とする。
【０００８】
【課題を解決するための手段】
上述した課題を解決し、目的を達成するため、請求項１の発明に係る図書情報提供装置は、クライアント端末からの要求に応答して、図書館に所蔵された図書に係る情報を提供する図書情報提供装置であって、前記図書館に所蔵された各図書の外観を利用者が認識し得るよう近接撮像した映像データを記憶する記憶手段と、前記クライアント端末上で前記利用者により所望の所蔵場所が指定された場合に、前記記憶手段に記憶した該所蔵場所に所蔵された各図書の映像データを前記クライアント端末に提供する映像提供手段と、を備えたことを特徴とする。
【０００９】
また、請求項２の発明に係る図書情報提供装置は、請求項１に記載の発明において、前記図書館に所蔵された各図書の書誌情報を記憶した図書データベースと、前記映像提供手段により映像データが提供された各図書のうち前記クライアント端末上で指定された図書の書誌情報を前記図書データベースから検索して提供する書誌情報提供手段と、をさらに備えたことを特徴とする。
【００１０】
また、請求項３の発明に係る図書情報提供装置は、請求項１または２に記載の発明において、前記記憶手段は、前記図書が配置された書棚を所定の順序で近接撮影した複数のシーンから形成される映像データを記憶することを特徴とする。
【００１１】
また、請求項４の発明に係る図書情報提供装置は、請求項１または２に記載の発明において、前記記憶手段は、前記図書が配置された書棚を所定の順序で近接撮影した複数のシーンから形成される映像データを記憶するとともに、前記図書が配置された書棚を所定の範囲ごとに撮像した複数の静止画像データを前記映像データの各シーンに対応付けて記憶することを特徴とする。
【００１２】
また、請求項５の発明に係る図書情報提供装置は、請求項４に記載の発明において、前記映像提供手段は、前記クライアント端末上で前記利用者により前記映像データの再生が一時停止された場合に、当該一時停止時のシーンに対応する前記静止画像データを、前記記憶手段により記憶された複数の静止画像データから検索して前記クライアント端末に提供することを特徴とする。
【００１３】
また、請求項６の発明に係る図書情報提供装置は、請求項５に記載の発明において、前記書誌情報提供手段は、前記映像提供手段により静止画像データが提供された各図書のうち前記クライアント端末上で指定された図書の書誌情報を前記図書データベースから検索して前記クライアント端末に提供することを特徴とする。
【００１４】
また、請求項７の発明に係る図書情報提供装置は、請求項１〜６のいずれか一つに記載の発明において、前記記憶手段は、前記映像データの各シーンに当該シーンを形成する書棚を一意に特定する情報を対応付けて記憶し、前記映像提供手段は、前記クライアント端末上で前記利用者により所望の書棚が指定された場合に、前記記憶手段により記憶した該書棚に対応するシーンから始まる前記映像データを提供することを特徴とする。
【００１５】
また、請求項８の発明に係る図書情報提供装置は、請求項１〜６のいずれか一つに記載の発明において、前記記憶手段は、前記映像データの各シーンに当該シーンを形成する図書の図書分類を一意に特定する情報を対応付けて記憶し、前記映像提供手段は、前記クライアント端末上で前記利用者により所望の図書分類が指定された場合に、前記記憶手段により記憶した該図書分類に対応するシーンから始まる前記映像データを提供することを特徴とする。
【００１６】
また、請求項９の発明に係る図書情報提供装置は、請求項１〜８のいずれか一つに記載の発明において、前記クライアント端末上で前記利用者により提示された所定の図書検索条件を具備する図書を前記図書データベースから検索する図書検索手段をさらに備え、前記映像提供手段は、前記クライアント端末からの要求に応じて、前記図書検索手段により検索された図書が含まれた映像データを検索して前記クライアント端末に提供することを特徴とする。
【００１７】
また、請求項１０の発明に係る図書情報提供装置は、請求項１〜９のいずれか一つに記載の発明において、前記記憶手段により記憶された映像データおよび静止画像データを定期または不定期に更新する更新手段をさらに備えたことを特徴とする。
【００１８】
また、請求項１１の発明に係る図書情報提供方法は、クライアント端末からの要求に応答して、図書館に所蔵された図書に係る情報を提供する図書情報提供方法であって、前記図書館に所蔵された各図書の外観を利用者が認識し得るよう近接撮像した映像データを記憶する記憶工程と、前記クライアント端末上で前記利用者により所望の所蔵場所が指定された場合に、前記記憶手段に記憶した該所蔵場所に所蔵された各図書の映像データを前記クライアント端末に提供する映像提供工程と、を含んだことを特徴とする。
【００１９】
また、請求項１２の発明に係る図書情報提供方法は、請求項１１に記載の発明において、前記映像提供手段により映像データが提供された各図書のうち前記クライアント端末上で指定された図書の書誌情報を、前記図書館に所蔵された各図書の書誌情報を記憶した図書データベースから検索して提供する書誌情報提供工程をさらに含んだことを特徴とする。
【００２０】
また、請求項１３の発明に係る図書情報提供方法は、請求項１１または１２に記載の発明において、前記記憶工程は、前記図書が配置された書棚を所定の順序で近接撮影した複数のシーンから形成される映像データを記憶することを特徴とする。
【００２１】
また、請求項１４の発明に係る図書情報提供方法は、請求項１１または１２に記載の発明において、前記記憶工程は、前記図書が配置された書棚を所定の順序で近接撮影した複数のシーンから形成される映像データを記憶するとともに、前記図書が配置された書棚を所定の範囲ごとに撮像した複数の静止画像データを前記映像データの各シーンに対応付けて記憶することを特徴とする。
【００２２】
また、請求項１５の発明に係る図書情報提供方法は、請求項１４に記載の発明において、前記映像提供工程は、前記クライアント端末上で前記利用者により前記映像データの再生が一時停止された場合に、当該一時停止時のシーンに対応する前記静止画像データを、前記記憶工程により記憶された複数の静止画像データから検索して前記クライアント端末に提供することを特徴とする。
【００２３】
また、請求項１６の発明に係る図書情報提供方法は、請求項１５に記載の発明において、前記書誌情報提供工程は、前記映像提供工程により静止画像データが提供された各図書のうち前記クライアント端末上で指定された図書の書誌情報を前記図書データベースから検索して前記クライアント端末に提供することを特徴とする。
【００２４】
また、請求項１７の発明に係る図書情報提供方法は、請求項１１〜１６のいずれか一つに記載の発明において、前記記憶工程は、前記映像データの各シーンに当該シーンを形成する書棚を一意に特定する情報を対応付けて記憶し、前記映像提供工程は、前記クライアント端末上で前記利用者により所望の書棚が指定された場合に、前記記憶工程により記憶した該書棚に対応するシーンから始まる前記映像データを提供することを特徴とする。
【００２５】
また、請求項１８の発明に係る図書情報提供方法は、請求項１１〜１６のいずれか一つに記載の発明において、前記記憶工程は、前記映像データの各シーンに当該シーンを形成する図書の図書分類を一意に特定する情報を対応付けて記憶し、前記映像提供工程は、前記クライアント端末上で前記利用者により所望の図書分類が指定された場合に、前記記憶工程により記憶した該図書分類に対応するシーンから始まる前記映像データを提供することを特徴とする。
【００２６】
また、請求項１９の発明に係る図書情報提供方法は、請求項１１〜１８のいずれか一つに記載の発明において、前記クライアント端末上で前記利用者により提示された所定の図書検索条件を具備する図書を前記図書データベースから検索する図書検索工程をさらに含み、前記映像提供工程は、前記クライアント端末からの要求に応じて、前記図書検索工程により検索された図書が含まれた映像データを検索して前記クライアント端末に提供することを特徴とする。
【００２７】
また、請求項２０の発明に係る図書情報提供方法は、請求項１１〜１９のいずれか一つに記載の発明において、前記記憶工程により記憶された映像データおよび静止画像データを定期または不定期に更新する更新工程をさらに備えたことを特徴とする。
【００２８】
また、請求項２１の発明に係る記録媒体は、請求項１１〜１９のいずれか一つに記載された方法をコンピュータに実行させるプログラムを記録したことで、そのプログラムを機械読み取り可能となり、これによって、請求項１１〜１９のいずれか一つの動作をコンピュータによって実行することができる。
【００２９】
【発明の実施の形態】
以下に添付図面を参照して、この発明に係る図書情報提供装置、図書情報提供方法、およびその方法をコンピュータに実行させるプログラムを記録したコンピュータ読み取り可能な記録媒体の好適な実施の形態を詳細に説明する。
【００３０】
なお、以下の実施の形態においては、本発明を、図書館の書棚に配置された図書に係る情報を提供する場合に適用した例について説明するが、図書館の棚に配置された雑誌、ＣＤ、ビデオテープなどのあらゆる情報伝達媒体に係る情報を提供する場合にも同様に適用することができ、さらに、書店などの図書館以外の場所の棚に配置された任意の商品に係る情報を提供する場合にも同様に適用することができる。
【００３１】
（実施の形態１）
図１は、本実施の形態１に係る図書情報提供システムの全体構成を示す図である。同図に示すように、本実施の形態１に係る図書情報提供システムは、複数のクライアント端末２０と、図書情報提供サーバとしてのサーバ装置１０とを、インターネットやイントラネットなどのネットワーク１を介して通信可能に接続して構成される。
【００３２】
概略的には、サーバ装置１０は、クライアント端末２０からの要求に応答して、複数の書棚に収納した図書に係る情報を提供するものであり、図書館の書棚に収容した各図書を近接撮影した映像データを記憶したデータベースを有し、クライアント端末２０からの要求に応じてデータベースに記憶された映像データを当該要求をおこなったクライアント端末２０に送信し、当該クライアント端末２０は、受信した映像データを再生して表示する。
【００３３】
ここで、本実施の形態１の図書情報提供システムは、サーバ装置１０のデータベースに記憶される映像に特徴があり、具体的には、書棚に収納した各図書の表紙または背表紙の図柄または文字をクライアント端末２０の利用者が認識し得る解像度によって近接撮像した映像データを記憶し、この記憶した映像データをクライアント端末２０に送信して再生表示させることによって、利用者に対し図書館に実際に足を運ぶことと同等の環境を提供する。
【００３４】
次に、図１に示したサーバ装置１０の構成を説明する。図２は、図１に示したサーバ装置１０の構成を示すブロック図である。同図に示すように、サーバ装置１０は、概略的に、ＷｅｂＤＢ（データベース）１１と、図書ＤＢ１２と、映像ＤＢ１３と、通信制御ＩＦ（インターフェース）１５と、制御部１４とを、任意の通信路を介して通信可能に接続して構成される。なお、このサーバ装置１０は、ルータなどの図示しない通信装置および専用線を介してネットワーク１に通信可能に接続される。
【００３５】
ＷｅｂＤＢ１１は、クライアント端末２０に対して送信するための各種のＷｅｂデータを記憶するデータ記憶手段である。このＷｅｂデータとしては、後述する書棚選択用画面、書誌事項表示画面、図書検索用画面などを表示するためのデータがあり、これらデータは、たとえば、ＨＴＭＬやＸＭＬにて記述されたテキスト・ファイルとして形成されている。
【００３６】
図書ＤＢ１２は、図書館内の各書棚に配置された各図書、すなわち図書館において所蔵される全ての図書に関する情報を記憶する記憶手段である。この情報は、図３に示すように、各図書を一意に識別するための図書ＩＤと、各図書の書誌事項（たとえば、タイトル、著者名、出版社、出版年、サイズ、内容注記など）を相互に関連付けて構成される。
【００３７】
映像ＤＢ１３は、図書が配置された書棚を撮影した画像データを記憶する記憶手段である。具体的には、書棚に収納した各図書の表紙または背表紙の図柄または文字を利用者が認識し得るよう近接撮像した映像データ、すなわち図書が配置された書棚を所定の順序で近接撮影した複数のシーンから形成される映像ファイルと、図書が配置された書棚を所定の範囲ごとに撮像した複数の静止画像データを前記映像データの各シーンに対応付けて記憶する。また、これらの映像データの各シーンおよび各静止画像データには、外部からの要求に応じて所定のシーンまたは静止画像データを検索することができるよう、所定の情報を付加して構成される。なお、これらの情報の構成については後述する。
【００３８】
通信制御ＩＦ１５は、サーバ装置１０とネットワーク１（またはルータなどの通信装置）との間における通信制御をおこなう処理部である。また、制御部１４は、図２に示すように、機能概念的に、要求解釈部１４ａと、閲覧処理部１４ｂと、図書検索部１４ｃと、映像検索部１４ｄと、映像配信処理部１４ｅとからなる。
【００３９】
このうち、要求解釈部１４ａは、クライアント端末２０からの要求内容を解釈し、その解釈結果に応じて制御部１４の他の各部に処理を受け渡す処理部である。クライアント端末２０からの要求内容としては、書棚選択用画面の送信要求、選択した書棚に対応する映像の送信要求、静止画像、すなわち図書選択用画面の送信要求、選択された図書に対応する書誌事項表示画面の送信要求などがある。
【００４０】
閲覧処理部１４ｂは、クライアント端末２０に表示される各種画面のＷｅｂデータの生成や送信をおこなう処理部である。たとえば、要求解釈部１４ａから書棚選択用画面の送信要求を受けた場合には、ＷｅｂＤＢ１１から書棚選択用画面を表示するためのＷｅｂデータを取得し、このＷｅｂデータを通信制御ＩＦ１５を介してクライアント端末２０に送信する。
【００４１】
図書検索部１４ｃは、クライアント端末２０に表示された図書選択用画面において選択された図書に対応する書誌事項データを図書ＤＢ１２から検索する処理部である。なお、検索された書誌事項データは、閲覧処理部１４ｂによって書誌事項表示画面を表示するためのＷｅｂデータに変換され、通信制御ＩＦ１５を介してクライアント端末２０に送信される。
【００４２】
映像検索部１４ｄは、クライアント端末２０に表示された書棚選択用画面において選択された書棚に対応する映像、すなわちシーンを映像ＤＢ１３に記憶された映像ファイルから検索するとともに、クライアント端末２０に表示された映像が一時停止された場合に、当該一時停止に対応した静止画像データを映像ＤＢ１３に記憶された静止画像データから検索する処理部である。
【００４３】
映像配信処理部１４ｅは、映像検索部１４ｄによって検索された映像をクライアント端末２０にストリーミング配信するとともに、映像検索部１４ｄによって検索された静止画像データをクライアント端末２０に送信する処理部である。また、この映像配信処理部１４ｅは、ストリーミング配信された映像において、どのシーンが再生中であるかを監視して一時停止されたシーンを特定する。
【００４４】
なお、サーバ装置１０の分散・統合の具合的形態は図示のものに限られず、その全部または一部を、各種の負荷等に応じた任意の単位で、機能的または物理的に分散・統合して構成することができる。また、ＷｅｂＤＢ１１、図書ＤＢ１２および映像ＤＢ１３に記憶される各情報は、定期的あるいは不定期に更新することができる。
【００４５】
次に、図１に示したクライアント端末２０の構成を説明する。図４は、図１に示したクライアント端末２０の構成を示すブロック図である。同図に示すように、クライアント端末２０は、概略的には、制御部２１と、入力装置２２と、出力装置２３と、入出力制御ＩＦ２４と、通信制御ＩＦ２５とを、バスを介してデータ通信可能に接続して構成される。そして、制御部２１は、図４に示すように、機能概念的に、Ｗｅｂブラウザ２１ａと、ビューアソフト２１ｂとから構成される。
【００４６】
Ｗｅｂブラウザ２１ａは、サーバ装置１０から受信したＷｅｂデータを解釈して、後述するモニタに表示させる表示制御（ブラウズ処理）をおこなう処理部である。また、ビューアソフト２１ｂは、サーバ装置１０から受信した映像をモニタにてストリーミング再生するための表示制御をおこなうとともに、サーバ装置１０から受信した静止画像データをモニタにて表示するための表示制御をおこなう処理部である。
【００４７】
入力装置２２は、クライアント端末２０に対する各種入力、たとえば書棚選択用画面における書棚の選択、映像の一時停止、図書選択用画面における図書の選択などを受け付ける装置である。この入力装置２２としては、キーボード、マウス、マイクなどを用いることができ、後述するモニタも、マウスと協働してポインティングディバイス機能を実現する。
【００４８】
また、出力装置２３は、サーバ装置１０から受信したＷｅｂデータ、映像、静止画像などを表示する装置である。この出力装置２３としては、モニタ（家庭用テレビを含む）を用いることができる。なお、以下においては出力装置２３をモニタ２３として記載する。
【００４９】
このように構成されたクライアント端末２０は、たとえば、パーソナルコンピュータやワークステーション、家庭用ゲーム機、インターネットＴＶ、ＰＤＡ(Personal Digital Assistant)、あるいは携帯電話やＰＨＳ（Personal Handy Phone System）の如き移動体通信端末によって実現することができる。また、クライアント端末２０は、モデム、ＴＡ、ルータ等の通信装置と電話回線を介して、あるいは専用線を介して、ネットワーク１に接続されており、所定の通信規約、たとえば、ＴＣＰ／ＩＰインターネットプロトコルに従ってサーバ装置１０にアクセスすることができる。
【００５０】
次に、図２に示した映像ＤＢ１３に記憶される情報の概念を説明する。図５は、図２に示した映像ＤＢ１３に記憶される情報の概念を説明するための図である。同図（ａ）に示すように、一段目から四段目までの棚を有する書棚に図書が配置されている場合、同図（ｂ）に示すように、書棚に配置された図書をタイトルや装丁が認識し得るよう、すなわち書棚に収納した各図書の表紙または背表紙の図柄または文字を利用者が認識し得るよう近接し、一段目から順番に同一方向に、すなわち図書分類に従って配置されている書棚および各図書の順序に従って移動して撮影する。
【００５１】
その結果、同図（ｃ）に示すように、複数のシーンが連なった映像ファイルを得ることができる。この映像ファイルが映像ＤＢ１３に記憶される。また、同図（ｄ）に示すように、書棚の各段の静止画像も撮影され、この静止画像も映像ＤＢ１３に記憶される。なお、シーンおよび静止画像の撮影手法は図示のものに限られず、たとえば、複数の段が収まるように撮影することもでき、また交互に逆方向に移動して撮影することもできる。
【００５２】
次に、図２に示した映像ＤＢ１３に記憶される情報の構成を説明する。図６は、図２に示した映像ＤＢ１３に記憶される情報の構成例を示す図である。同図（ａ）に示すように、図５に示した手法により撮影して得られた映像ファイルに対して、図書分類、書棚ＩＤ（番号）、段番号の順に構造化がおこなわれる。
【００５３】
その結果、映像ＤＢ１３に記憶される映像ファイルは、同図（ｂ）に示すように、映像ファイルを形成する各シーンごとに、各シーンを一意に識別するためのシーンＩＤと、各シーンに含まれる図書の図書分類を一意に識別するための分類ＩＤと、各シーンに対応する書棚の位置を一意に識別するための書棚ＩＤと、各シーンに対応する段の位置を一意に特定するための段番号と、各シーンに対応する段を撮影した静止画像を一意に識別するための静止画像ＩＤとを相互に関連付けて構成される。具体的には、上記したような構造情報を抽出し、その構造および各構造要素（シーン）に対応する内容記述をＸＭＬなどのマークアップ言語（タグ付き言語）によって表現する。
【００５４】
また、映像ＤＢ１３に記憶される映像ファイルにおける各分類、各所棚および各段の頭に相当するシーンには、当該シーンからの頭出しを可能とするための情報が付与される。映像検索部２１は、これらの映像内容記述情報を参照することによって、任意のシーンを検索する。
【００５５】
映像ＤＢ１３に記憶される静止画像データは、同図（ｃ）に示すように、各静止画像データごとに、各静止画像データを一意に特定するための静止画像ＩＤと、各静止画像データに含まれる図書それぞれの図書ＩＤと、各図書が静止画像データのどの位置に含まれるかを示す位置情報とを相互に関連付けて構成される。映像検索部２１は、これらの映像内容記述情報を参照することによって静止画像に含まれる任意の図書を検索する。
【００５６】
なお、映像ファイルおよび静止画像データの構成は図示のものに限られず、たとえば、各シーンに図書館の所在地やフロアー番号を示す情報を対応付けて構成することもでき、また各シーンに当該シーンに含まれる図書それぞれの図書ＩＤを対応付けて構成することもできる。
【００５７】
次に、本実施の形態１に係る図書情報提供システムの処理を説明する。図７は、本実施の形態１に係る図書情報提供システムの処理を示すフローチャートである。同図に示すように、まず最初に、クライアント端末２０はＷｅｂブラウザ２１ａによってサーバ装置１０に対し初期画面の送信を要求する（ステップＳ７０１）。
【００５８】
そして、サーバ装置１０は、かかる初期画面の送信要求を受信して（ステップＳ７０２）、初期画面データ、すなわち書棚選択用画面を表示するためのＷｅｂデータをクライアント端末２０に送信する（ステップＳ７０３）。具体的には、閲覧処理部１４ｂの制御の下において、ＷｅｂＤＢ１１から初期画面を表示するためのＷｅｂデータを取得し、このＷｅｂデータを通信制御ＩＦ１５を介してクライアント端末２０に送信する。
【００５９】
その後、クライアント端末２０は、受信した初期画面、すなわち書棚選択用画面をモニタ２３に表示する（ステップＳ７０４）。この書棚選択用画面を図８に例示する。同図に示すように、この書棚選択用画面は、図書館のフロアーに各書棚が配置された図から構成され、各所棚に図書分類と書棚番号が付されている。
【００６０】
そして、クライアント端末２０は、入力装置２２から書棚の選択を受け付けて、書棚の選択結果をサーバ装置１０に送信する（ステップＳ７０５）。具体的には、図８に示した書棚選択用画面の所定の書棚が指示された場合に、この指示された書棚を一意に識別することができる情報、すなわち書棚ＩＤに係る情報をサーバ装置１０に送信する。
【００６１】
その後、サーバ装置１０は、書棚ＩＤに係る情報を受信し（ステップＳ７０６）、当該書棚に対応する先頭のシーンを映像ＤＢ１３から検索し（ステップＳ７０７）、検索したシーンから始まる映像データをクライアント端末２０に送信する（ステップＳ７０８）。具体的には、映像検索部１４ｄは、受信した書棚ＩＤが内容記述されている先頭のシーンを映像ＤＢ１３の映像ファイルから検索し、映像配信処理部１４ｅは、検索されたシーンから映像データをストリーミング配信する。
【００６２】
そして、クライアント端末２０は、受信した映像データをモニタ２３にて再生する（ステップＳ７０９）。具体的には、ビューアソフト２１ｂの制御によって、モニタ２３に受信した映像データがストリーミング再生される。この映像データの再生時の画面を図９に例示する。同図に示すように、この再生画面は、書棚に収納した各図書の表紙または背表紙の図柄または文字を利用者が認識し得るよう表示される。
【００６３】
その後、クライアント端末２０は、入力装置２２から映像データの一時停止を受け付けて、一時停止された位置をサーバ装置１０に送信する（ステップＳ７１０）。具体的には、図９に示した映像データの再生画面の「一時停止」ボタンが指示された場合に、この指示された時点の映像データのシーンを一意に識別することができる情報、すなわちシーンＩＤに係る情報をサーバ装置１０に送信する。
【００６４】
そして、サーバ装置１０は、シーンＩＤに係る情報、すなわち映像データの一時停止位置に係る情報を受信し（ステップＳ７１１）、当該シーンに対応する静止画像データを映像ＤＢ１３から検索し（ステップＳ７１２）、検索した静止画像データをクライアント端末２０に送信する（ステップＳ７１３）。具体的には、映像検索部１４ｄは、受信したシーンＩＤが内容記述されているシーンを検索し、この検索されたシーンに内容記述されている静止画像ＩＤを参照し、この静止画像ＩＤが与えられている静止画像データを映像ＤＢ１３から検索し、映像配信処理部１４ｅは、検索された静止画像データをクライアント端末２０に送信する。
【００６５】
その後、クライアント端末２０は、受信した静止画像データをモニタ２３に表示する（ステップＳ７１４）。この静止画像データの表示画面を図１０に例示する。同図に示すように、この表示画面は、一時停止されたシーンに含まれる図書の周辺に配置されている各図書の表紙または背表紙の図柄または文字を利用者が認識し得るよう表示される。
【００６６】
そして、クライアント端末２０は、入力装置２２から静止画像中の所定の図書の選択を受け付けて、その選択結果をサーバ装置１０に送信する（ステップＳ７１５）。具体的には、図１０に示した静止画像データの表示画面の所定の図書がが指示された場合に、この指示された図書を一意に識別することができる情報、すなわち静止画像ＩＤおよびモニタ２３中の指示位置に係る情報をサーバ装置１０に送信する。
【００６７】
その後、サーバ装置１０は、図書の選択結果、すなわち静止画像ＩＤおよび指示位置に係る情報を受信し（ステップＳ７１６）、当該選択された図書の書誌情報を図書ＤＢから検索し（ステップＳ７１７）、検索した書誌情報をクライアント端末２０に送信する（ステップＳ７１８）。具体的には、映像検索部１４ｄは、受信した静止画像ＩＤが内容記述されている静止画像データを映像ＤＢ１３からを検索し、検索した静止画像データに内容記述されている図書ＩＤから受信した指示位置に対応する図書ＩＤを検索し、検索した図書ＩＤを図書検索部１４ｃに受け渡す。図書検索部１４ｃは、受け取った図書ＩＤに対応する図書を図書ＤＢ１２から検索し、閲覧処理部１４ｂは、図書検索部１４ｃによって検索された図書の書誌事項からＷｅｂデータを作成し、このデータをクライアント端末２０に送信する。
【００６８】
そして、クライアント端末２０は、受信した書誌事項に係るＷｅｂデータをモニタ２３に表示する（ステップＳ７１９）。この書誌事項の表示画面を図１１に例示する。同図に示すように、この表示画面は、ステップ７１５の静止画像画面で選択された図書に関するタイトル、著者名、出版社、出版年、サイズ、注記などの情報を表示する。
【００６９】
上述してきたように、本実施の形態１では、映像ＤＢ１３が、書棚に収納した各図書の表紙または背表紙の図柄または文字を利用者が認識し得るよう近接撮像した映像データを記憶し、映像配信処理部１４ｅが、クライアント端末２０上で利用者により所望の書棚が指定された場合に、当該指定された書棚に収納した各図書の映像データをクライアント端末２０に提供することとしたので、遠隔地の利用者にも図書館の書棚に収納した各図書の表紙または背表紙の図柄または文字を利用者が認識し得るような映像を提供することができ、もって図書館に実際に足を運んだ利用者が得ることができる利益を遠隔地に居る利用者に対しても提供することができる。
【００７０】
なお、本実施の形態１では、クライアント端末２０上で利用者により所望の書棚が指定された場合に、当該指定された書棚に収納した各図書の映像データをクライアント端末２０に提供する場合を示したが、本発明はこれに限定されるものではなく、クライアント端末２０上で利用者により所望の図書分類が指定された場合にも同様に、当該指定された図書分類に収納した各図書の映像データをクライアント端末２０に提供することもできる。
【００７１】
また、本実施の形態１では、クライアント端末２０上に表示された静止画像中から所定の図書が選択された場合に、当該選択された図書の書誌情報をクライアント端末２０に提供する場合を示したが、本発明はこれに限定されるものではなく、クライアント端末２０上に表示された映像、すなわち動画像中から所定の図書が選択された場合に、当該選択された図書の書誌情報をクライアント端末２０に提供することもできる。
【００７２】
（実施の形態２）
ところで、上記実施の形態１では、クライアント端末２０上で利用者に所望の書棚を指定させて、当該指定された書棚に収納した各図書の映像データをクライアント端末２０に提供する場合を示したが、本発明はこれに限定されるものではなく、クライアント端末２０上で利用者により提示された所定の図書検索条件を具備する図書を図書ＤＢ１２から検索し、この検索された図書が配置された書棚の映像データをクライアント端末２０からの要求に応じて提供することもできる。
【００７３】
そこで、本実施の形態２では、クライアント端末２０上で利用者により提示された所定の図書検索条件を具備する図書を図書ＤＢ１２から検索し、この検索された図書が配置された書棚の映像データをクライアント端末２０からの要求に応じて提供する場合について説明する。なお、図書情報提供システムのシステム構成は図１に示すものと同様のものとなり、サーバ装置の構成は図２に示すものと同様のものとなり、クライアント端末の構成は図４に示すものと同様のものとなるので、ここではその説明を省略する。
【００７４】
本実施の形態２では、図書に基づいて映像データを検索することを可能とするために、図書ＤＢ１２に記憶される図書の情報は、図１２に示すように、各図書を一意に識別するための図書ＩＤと、各図書の書誌事項と、各図書が含まれるシーンを特定するためのシーンＩＤとが相互に関連付けて構成される。
【００７５】
図１３は、本実施の形態２に係る図書情報提供システムの処理を示すフローチャートである。なお、本実施の形態２に係る図書情報提供システムの処理における映像配信後の処理は、上記実施の形態１に係る図書情報提供システムの処理、すなわち図７に示したステップＳ７１０〜Ｓ７１９と同様であるので、ここではその説明を省略する。
【００７６】
まず最初に、クライアント端末２０はＷｅｂブラウザ２１ａによってサーバ装置１０に対し初期画面の送信を要求する（ステップＳ１３０１）。そして、サーバ装置１０は、かかる初期画面の送信を要求を受信して（ステップＳ１３０２）、初期画面データ、すなわち図書検索用画面を表示するためのＷｅｂデータをクライアント端末２０に送信する（ステップＳ１３０３）。
【００７７】
その後、クライアント端末２０は、受信した初期画面、すなわち図書検索用画面をモニタ２３に表示する（ステップＳ１３０４）。この図書選択用画面を図１４に例示する。同図に示すように、この図書選択用画面は、タイトル、巻次、著者名、出版社、出版年およびＩＳＢＮの各検索条件を利用者の選択によって入力可能に表示して構成される。
【００７８】
そして、クライアント端末２０は、入力装置２２から各種の選択条件の入力を受け付けて、入力された検索条件をサーバ装置１０に送信する（ステップＳ１３０５）。その後、サーバ装置１０は、入力された検索条件を受信し（ステップＳ１３０６）、当該検索条件を具備する図書を図書ＤＢ１２から検索し（ステップＳ１３０７）、検索結果の一覧をクライアント端末２０に送信する（ステップＳ１３０８）。
【００７９】
そして、クライアント端末２０は、受信した検索結果一覧をモニタ２３に表示する（ステップＳ１３０９）。この検索結果一覧画面を図１５に例示する。同図に示すように、この検索結果一覧画面は、検索条件を具備する複数の図書に関する最小限の情報を列挙表示して構成される。その後、クライアント端末２０は、入力装置２２から図書の選択を受け付けて、検索結果一覧のなかから選択された図書を一意に特定する情報、すなわち図書ＩＤに係る情報をサーバ装置１０に送信する（ステップＳ１３１０）。
【００８０】
そして、サーバ装置１０は、選択結果、すなわち図書ＩＤに係る情報を受信し（ステップＳ１３１１）、当該図書の書誌情報を図書ＤＢから検索し、検索した書誌情報をクライアント端末２０に送信する（ステップＳ１３１２）。具体的には、図書検索部１４ｃは、受信した図書ＩＤに対応する図書を図書ＤＢ１２から検索し、閲覧処理部１４ｂは、図書検索部１４ｃによって検索された図書の書誌事項からＷｅｂデータを作成し、このデータをクライアント端末２０に送信する。
【００８１】
その後、クライアント端末２０は、受信した書誌事項に係るＷｅｂデータをモニタ２３に表示する（ステップＳ１３１３）。この書誌事項の表示画面を図１６に例示する。同図に示すように、この表示画面は、図１１に示した表示画面と同様の書誌情報と、書棚の映像へ移行するためのボタンとを備えて構成される。そして、クライアント端末２０は、図１６に示した表示画面の書棚の映像へ移行するためのボタンが指示された場合に、この指示されたことを示す情報、すなわち書棚映像の送信要求情報をサーバ装置１０に送信する（ステップＳ１３１４）。
【００８２】
その後、サーバ装置１０は、書棚映像の送信要求情報を受信し（ステップＳ１３１５）、当該要求された書棚に対応する先頭のシーンを映像ＤＢ１３から検索し（ステップＳ１３１６）、検索したシーンから始まる映像データをクライアント端末２０に送信する（ステップＳ１３１７）。具体的には、図書検索部１４ｃは、書棚映像の送信要求に係る図書に内容記述されているシーンＩＤを映像検索部１４に受け渡し、映像検索部１４ｄは、受け取ったシーンＩＤが内容記述されている先頭のシーンを映像ＤＢ１３の映像ファイルから検索し、映像配信処理部１４ｅは、検索されたシーンから映像データをストリーミング配信する。
【００８３】
そして、クライアント端末２０は、受信した映像データをモニタ２３にて再生する（ステップＳ１３１８）。なお、これ以降の処理は、図７に示したステップＳ７１０以降の処理と同様である。
【００８４】
上述してきたように、本実施の形態２では、クライアント端末２０上で利用者により提示された所定の図書検索条件を具備する図書を図書ＤＢ１２から検索し、この検索された図書が配置された書棚の映像データをクライアント端末２０からの要求に応じて提供することとしたので、図書検索条件を具備する目的の図書の周辺において真に目的とする図書を探し出すことができる。
【００８５】
なお、本実施の形態２では、書誌事項を表示する画面において映像データに移行するためのボタンを表示して、書誌事項を表示した直後に映像データを配信する場合を示したが、本発明はこれに限定されるものではなく、検索結果の一覧を表示する画面において、当該検索された各図書から映像データに移行するためのボタンを表示して、検索一覧結果を表示した直後に映像データを配信することもできる。
【００８６】
（実施の形態３）
ところで、上記実施の形態２では、クライアント端末２０上で利用者により提示された所定の図書検索条件を具備する図書を図書ＤＢ１２から検索し、この検索された図書が配置された書棚の映像データをクライアント端末２０からの要求に応じて提供する場合を示したが、本発明はこれに限定されるものではなく、クライアント端末２０上で利用者により提示された所定の図書検索条件を具備する図書を図書ＤＢ１２から検索し、この検索された図書が配置された書棚の静止画像データをクライアント端末２０からの要求に応じて提供することもできる。この場合における書誌事項の表示画面、すなわち検索された図書が配置された書棚の静止画像データの送信を要求するための画面を図１７に例示する。
【００８７】
また、本発明は、クライアント端末２０上で利用者により提示された所定の図書検索条件を具備する図書を図書ＤＢ１２から検索し、検索された図書の属する図書分類から始まる映像データ、検索された図書が配置された書棚から始まる映像データ、検索された図書が配置された段から始まる映像データ、あるいは、検索された図書が配置された書棚の静止画像データを、クライアント端末２０からの要求に応じて提供することもできる。この場合における書誌事項の表示画面、すなわち検索された図書に関する映像データまたは静止画像データの送信を要求するための画面を図１８に例示する。
【００８８】
なお、本実施の形態１〜３で説明した図書情報提供方法は、あらかじめ用意されたプログラムをパーソナル・コンピューターやワークステーションなどのコンピュータで実行することによって実現することができる。このプログラムは、ハードディスク、フロッピーディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、上記記録媒体を介して、インターネットなどのネットワークを介して配布することができる。
【００８９】
【発明の効果】
以上説明したように、請求項１の発明によれば、図書館に所蔵された各図書の外観を利用者が認識し得るよう近接撮像した映像データを記憶し、クライアント端末上で利用者により所望の所蔵場所が指定された場合に、記憶した該所蔵場所に所蔵された各図書の映像データをクライアント端末に提供することとしたので、遠隔地の利用者にも図書館の書棚に収納した各図書の表紙または背表紙の図柄または文字を利用者が認識し得るような映像を提供することができ、もって図書館に実際に足を運んだ利用者が得ることができる利益を遠隔地に居る利用者に対しても提供することが可能な図書情報提供装置が得られるという効果を奏する。また、閉架図書や貴重な図書であって通常一般に公開していない図書の映像を提供することもでき、もって利用者の利便性を向上させることが可能な図書情報提供装置が得られるという効果を奏する。
【００９０】
また、請求項２の発明によれば、映像データが提供された各図書のうちクライアント端末上で指定された図書の書誌情報を、図書館に所蔵された各図書の書誌情報を記憶した図書データベースから検索して提供することとしたので、「目的の図書の周辺に配置された図書の方が重要であった。」や「たまたま手に取った図書がすばらしいものであった。」など図書館に実際に足を運んだ利用者が得ることができる利益を提供することが可能な図書情報提供装置が得られるという効果を奏する。
【００９１】
また、請求項３の発明によれば、図書が配置された書棚を所定の順序で近接撮影した複数のシーンから形成される映像データを記憶することとしたので、図書館の書棚の前を歩きながら図書を眺めることと同等の利益を提供することが可能な図書情報提供装置が得られるという効果を奏する。
【００９２】
また、請求項４の発明によれば、図書が配置された書棚を所定の順序で近接撮影した複数のシーンから形成される映像データを記憶するとともに、図書が配置された書棚を所定の範囲ごとに撮像した複数の静止画像データを映像データの各シーンに対応付けて記憶することとしたので、図書館の書棚の前を歩きながら図書を眺め、気になった書棚の前で立ち止まって図書をじっくりと眺めることと同等の利益を提供することが可能な図書情報提供装置が得られるという効果を奏する。
【００９３】
また、請求項５の発明によれば、クライアント端末上で利用者により映像データの再生が一時停止された場合に、当該一時停止時のシーンに対応する静止画像データを検索してクライアント端末に提供することとしたので、図書館の書棚の前を歩きながら図書を眺め、気になった書棚の前で立ち止まって図書をじっくりと眺めることと同等の利益を迅速に提供することが可能な図書情報提供装置が得られるという効果を奏する。
【００９４】
また、請求項６の発明によれば、静止画像データが提供された各図書のうちクライアント端末上で指定された図書の書誌情報を図書データベースから検索してクライアント端末に提供することとしたので、所定の書棚の前で立ち止まって図書をじっくりと眺め、所定の図書を手に取って内容を確認することと同等の利益を提供することが可能な図書情報提供装置が得られるという効果を奏する。
【００９５】
また、請求項７の発明によれば、映像データの各シーンに当該シーンを形成する書棚を一意に特定する情報を対応付けて記憶し、クライアント端末上で利用者により所望の書棚が指定された場合に、該書棚に対応するシーンから始まる映像データを提供することとしたので、図書館に足を運び、あらかじめ目的とした書棚から図書を探すことと同等の利益を提供することが可能な図書情報提供装置が得られるという効果を奏する。
【００９６】
また、請求項８の発明によれば、映像データの各シーンに当該シーンを形成する図書の図書分類を一意に特定する情報を対応付けて記憶し、クライアント端末上で利用者により所望の図書分類が指定された場合に、該図書分類に対応するシーンから始まる映像データを提供することとしたので、図書館に足を運び、あらかじめ目的とした図書分類から図書を探すことと同等の利益を提供することが可能な図書情報提供装置が得られるという効果を奏する。
【００９７】
また、請求項９の発明によれば、クライアント端末上で利用者により提示された所定の図書検索条件を具備する図書を図書データベースから検索し、クライアント端末からの要求に応じて、検索された図書が含まれた映像データを検索してクライアント端末に提供することとしたので、図書検索条件を具備する目的の図書の周辺において真に目的とする図書を探し出すことが可能な図書情報提供装置が得られるという効果を奏する。
【００９８】
また、請求項１０の発明によれば、記憶された映像データおよび静止画像データを定期または不定期に更新することとしたので、新刊の図書や定期発行の雑誌などの映像データを提供することができ、もって利用者の利便性を向上させることが可能な図書情報提供装置が得られるという効果を奏する。
【００９９】
また、請求項１１の発明によれば、図書館に所蔵された各図書の外観を利用者が認識し得るよう近接撮像した映像データを記憶し、クライアント端末上で利用者により所望の所蔵場所が指定された場合に、記憶した該所蔵場所に所蔵された各図書の映像データをクライアント端末に提供することとしたので、遠隔地の利用者にも図書館の書棚に収納した各図書の表紙または背表紙の図柄または文字を利用者が認識し得るような映像を提供することができ、もって図書館に実際に足を運んだ利用者が得ることができる利益を遠隔地に居る利用者に対しても提供することが可能な図書情報提供方法が得られるという効果を奏する。
【０１００】
また、請求項１２の発明によれば、映像データが提供された各図書のうちクライアント端末上で指定された図書の書誌情報を、図書館に所蔵された各図書の書誌情報を記憶した図書データベースから検索して提供することとしたので、「目的の図書の周辺に配置された図書の方が重要であった。」や「たまたま手に取った図書がすばらしいものであった。」など図書館に実際に足を運んだ利用者が得ることができる利益を提供することが可能な図書情報提供方法が得られるという効果を奏する。
【０１０１】
また、請求項１３の発明によれば、図書が配置された書棚を所定の順序で近接撮影した複数のシーンから形成される映像データを記憶することとしたので、図書館の書棚の前を歩きながら図書を眺めることと同等の利益を提供することが可能な図書情報提供方法が得られるという効果を奏する。
【０１０２】
また、請求項１４の発明によれば、図書が配置された書棚を所定の順序で近接撮影した複数のシーンから形成される映像データを記憶するとともに、図書が配置された書棚を所定の範囲ごとに撮像した複数の静止画像データを映像データの各シーンに対応付けて記憶することとしたので、図書館の書棚の前を歩きながら図書を眺め、気になった書棚の前で立ち止まって図書をじっくりと眺めることと同等の利益を提供することが可能な図書情報提供方法が得られるという効果を奏する。
【０１０３】
また、請求項１５の発明によれば、クライアント端末上で利用者により映像データの再生が一時停止された場合に、当該一時停止時のシーンに対応する静止画像データを検索してクライアント端末に提供することとしたので、図書館の書棚の前を歩きながら図書を眺め、気になった書棚の前で立ち止まって図書をじっくりと眺めることと同等の利益を迅速に提供することが可能な図書情報提供方法が得られるという効果を奏する。
【０１０４】
また、請求項１６の発明によれば、静止画像データが提供された各図書のうちクライアント端末上で指定された図書の書誌情報を図書データベースから検索してクライアント端末に提供することとしたので、所定の書棚の前で立ち止まって図書をじっくりと眺め、所定の図書を手に取って内容を確認することと同等の利益を提供することが可能な図書情報提供方法が得られるという効果を奏する。
【０１０５】
また、請求項１７の発明によれば、映像データの各シーンに当該シーンを形成する書棚を一意に特定する情報を対応付けて記憶し、クライアント端末上で利用者により所望の書棚が指定された場合に、該書棚に対応するシーンから始まる映像データを提供することとしたので、図書館に足を運び、あらかじめ目的とした書棚から図書を探すことと同等の利益を提供することが可能な図書情報提供方法が得られるという効果を奏する。
【０１０６】
また、請求項１８の発明によれば、映像データの各シーンに当該シーンを形成する図書の図書分類を一意に特定する情報を対応付けて記憶し、クライアント端末上で利用者により所望の図書分類が指定された場合に、該図書分類に対応するシーンから始まる映像データを提供することとしたので、図書館に足を運び、あらかじめ目的とした図書分類から図書を探すことと同等の利益を提供することが可能な図書情報提供方法が得られるという効果を奏する。
【０１０７】
また、請求項１９の発明によれば、クライアント端末上で利用者により提示された所定の図書検索条件を具備する図書を図書データベースから検索し、クライアント端末からの要求に応じて、検索された図書が含まれた映像データを検索してクライアント端末に提供することとしたので、図書検索条件を具備する目的の図書の周辺において真に目的とする図書を探し出すことが可能な図書情報提供方法が得られるという効果を奏する。
【０１０８】
また、請求項２０の発明によれば、記憶された映像データおよび静止画像データを定期または不定期に更新することとしたので、新刊の図書や定期発行の雑誌などの映像データを提供することができ、もって利用者の利便性を向上させることが可能な図書情報提供方法が得られるという効果を奏する。
【０１０９】
また、請求項２１の発明によれば、請求項１１〜２０のいずれか一つに記載された方法をコンピュータに実行させるプログラムを記録したことで、そのプログラムを機械読み取り可能となり、これによって、請求項１１〜２０のいずれか一つの動作をコンピュータによって実現することが可能な記録媒体が得られるという効果を奏する。
【図面の簡単な説明】
【図１】
本実施の形態１に係る図書情報提供システムの全体構成を示す図である。
【図２】
図１に示したサーバ装置の構成を示すブロック図である。
【図３】
図２に示した図書ＤＢに記憶される情報の構成例を示す図である。
【図４】
図１に示したクライアント端末の構成を示すブロック図である。
【図５】
図２に示した映像ＤＢに記憶される情報の概念を説明するための図である。
【図６】
図２に示した映像ＤＢに記憶される情報の構成例を示す図である。
【図７】
本実施の形態１に係る図書情報提供システムの処理を示すフローチャートである。
【図８】
書棚を選択するための画面の表示例を示す図である。
【図９】
映像を再生時の画面の表示例を示す図である。
【図１０】
静止画像の表示例を示す図である。
【図１１】
図書の書誌事項の表示例を示す図である。
【図１２】
本実施の形態２における図書ＤＢに記憶される情報の構成例を示す図である。
【図１３】
本実施の形態２に係る図書情報提供システムの処理のを示すフローチャートである。
【図１４】
図書検索の条件を入力するための画面の表示例を示す図である。
【図１５】
検索結果の表示例を示す図である。
【図１６】
図書の書誌事項の表示例を示す図である。
【図１７】
図書の書誌事項の表示例を示す図である。
【図１８】
図書の書誌事項の表示例を示す図である。
【符号の説明】
１  ネットワーク
１０  サーバ装置
１１  ＷｅｂＤＢ
１２  図書ＤＢ
１３  映像ＤＢ
１４  制御部
１４ａ  要求解釈部
１４ｂ  閲覧処理部
１４ｃ  図書検索部
１４ｄ  映像検索部
１４ｅ  映像配信処理部
１５  通信制御ＩＦ
２０  クライアント端末
２１  制御部
２１ａ  Ｗｅｂブラウザ
２１ｂ  ビューアソフト
２２  入力装置
２３  出力装置
２４  入出力制御ＩＦ
２５  通信制御ＩＦ